(57)【要約】【課題】将来の生産計画に基づいて、部品の調達コストと在庫金額との関係を評価し、より適切な発注方式を選定することができる。【解決手段】  将来の設計計画に基づく所定の適用率で製品構成要素に所定の設計パターンを割り付ける製品設計割付部と、前記製品構成要素に用いられる部品の調達コストを発注方式別に算出する調達コスト算出部と、前記部品の在庫金額を発注方式別に算出する在庫金額算出部と、前記調達コストおよび前記在庫金額の比率を評価する発注方式評価部と、を備える。【選択図】図１
2018063511.tif 000002
【特許請求の範囲】
【請求項１】
将来の設計計画に基づく所定の適用率で製品構成要素に所定の設計パターンを割り付ける製品設計割付部と、
前記製品構成要素に用いられる部品の調達コストを発注方式別に算出する調達コスト算出部と、
前記部品の在庫金額を発注方式別に算出する在庫金額算出部と、
前記調達コストおよび前記在庫金額の比率を評価する発注方式評価部と、を備える
ことを特徴とする部品発注方式選定装置。
【請求項２】
請求項１に記載の部品発注方式選定装置であって、
前記設計パターンには、旧製品の前記製品構成要素に適用されている第１の設計パターンと、新製品の前記製品構成要素に適用しようとする第２の設計パターンとがあり、
前記製品設計割付部は、
前記第１の設計パターンおよび前記第２の設計パターンを、将来の生産計画に基づく所定の適用率で前記製品構成要素に割り付ける
ことを特徴とする部品発注方式選定装置。
【請求項３】
請求項２に記載の部品発注方式選定装置であって、
前記発注方式評価部は、
個別の発注方式から定量の発注方式に変更した場合の調達コストの低減分と在庫金額の増加分との比率を算出する
ことを特徴とする部品発注方式選定装置。
【請求項４】
請求項３に記載の部品発注方式選定装置であって、
前記調達コスト算出部は、
個別の発注方式による発注金額と、定量の発注方式による発注金額とを合算した調達コストから、定量の発注方式による発注金額と、個別の発注方式を定量の発注方式に切り替えた場合の発注金額とを合算した調達コストを引くことにより、前記調達コストの低減分を算出する
ことを特徴とする部品発注方式選定装置。
【請求項５】
請求項３に記載の部品発注方式選定装置であって、
前記在庫金額算出部は、
個別の発注方式による在庫金額と、定量の発注方式による在庫金額とを合算した在庫金額を、定量の発注方式による在庫金額と、個別の発注方式を定量の発注方式に切り替えた場合の在庫金額とを合算した在庫金額から引くことにより、前記在庫金額の増加分を算出する
ことを特徴とする部品発注方式選定装置。
【請求項６】
請求項２に記載の部品発注方式選定装置であって、
前記設計パターンは、設計の新旧を表すレビジョン情報を有し、
前記製品設計割付部は、
所定の適用率に応じて、直近に生産する予定の製品の構成要素から順に前記レビジョン情報の古い前記第１の設計パターンを優先的に割り付ける
ことを特徴とする部品発注方式選定装置。
【請求項７】
請求項１に記載の部品発注方式選定装置であって、
前記在庫金額算出部は、
前記在庫金額に代えて、部品の入荷から、部品を倉庫から出庫するまでにかかる保管コストを発注方式別に算出し、
前記発注方式評価部は、
前記調達コストおよび前記保管コストの比率を評価する
ことを特徴とする部品発注方式選定装置。
【請求項８】
部品発注方式選定装置が行う部品発注方式選定方法であって、
将来の設計計画に基づく所定の適用率で製品構成要素に所定の設計パターンを割り付ける製品設計割付ステップと、
前記製品構成要素に用いられる部品の調達コストを発注方式別に算出する調達コスト算出ステップと、
前記部品の在庫金額を発注方式別に算出する在庫金額算出ステップと、
前記調達コストおよび前記在庫金額の比率を評価する発注方式評価ステップと、を有する
ことを特徴とする部品発注方式選定方法。
【請求項９】
コンピュータを、部品発注方式選定装置として機能させるプログラムであって、
前記コンピュータを、
将来の設計計画に基づく所定の適用率で製品構成要素に所定の設計パターンを割り付ける製品設計割付部と、
前記製品構成要素に用いられる部品の調達コストを発注方式別に算出する調達コスト算出部と、
前記部品の在庫金額を発注方式別に算出する在庫金額算出部と、
前記調達コストおよび前記在庫金額の比率を評価する発注方式評価部として機能させる
ことを特徴とするプログラム。
【発明の詳細な説明】
【技術分野】
【０００１】
本発明は、部品発注方式選定装置、部品発注方式選定方法およびプログラムに関する。
【背景技術】
【０００２】
特許文献１には、多品種少量生産方法に関し、「受注する製品を標準ユニットと特注ユニットとに区分して、前記標準ユニットと特注ユニットに対して前記受注を示す受注コードに対応する製造管理番号を付与し、前記標準ユニットについては在庫品の引当て若しくは購買手配を行い、前記特注ユニットについては個別受注を待って設計製造を行い、前記製造管理番号を有する生産された特注ユニットと、前記製造管理番号を有する引当て若しくは購買された前記標準ユニットとを用いて前記受注コードを有する製品を組立てる工程を有している。」と記載されている。
【先行技術文献】
【特許文献】
【０００３】
【特許文献１】特開２００３−５８２２５号公報
【発明の概要】
【発明が解決しようとする課題】
【０００４】
特許文献１に記載の方法では、製品を標準ユニットと特注ユニットとに区分して、各々在庫品の引当てや個別受注後の部品設計および手配を行う方法が記載されている。しかしながら、特許文献１の方法では、顧客の要求仕様に応じて標準ユニットの適用可否が変わるような個別受注設計品において、在庫を持つべきか又は個別に設計して手配すべきかを判断して適切な部品の発注を行うことが難しい。また、特許文献１の方法では、設計改良により標準ユニットの新旧切り替えを徐々に行っていく場合において、旧設計の標準ユニットに対する部品在庫をいつまで持ち続けるのが良いかを判断することが難しい。
【０００５】
本発明は、上記課題に鑑みてなされたものであり、将来の生産計画に基づいて、部品の調達コストと在庫金額との関係を評価し、より適切な発注方式を選定することができる部品発注方式選定装置の提供を目的とする。
【課題を解決するための手段】
【０００６】
上記課題を解決するため、本発明に係る部品発注方式選定装置は、将来の設計計画に基づく所定の適用率で製品構成要素に所定の設計パターンを割り付ける製品設計割付部と、前記製品構成要素に用いられる部品の調達コストを発注方式別に算出する調達コスト算出部と、前記部品の在庫金額を発注方式別に算出する在庫金額算出部と、前記調達コストおよび前記在庫金額の比率を評価する発注方式評価部と、を備える。
【発明の効果】
【０００７】
本発明に係る部品発注方式選定装置によれば、将来の生産計画に基づいて、部品の調達コストと在庫金額との関係を評価し、より適切な発注方式を選定することができる。
【０００８】
なお、上記した以外の課題、構成および効果は、以下の実施形態の説明により明らかにされる。
【図面の簡単な説明】
【０００９】
【図１】部品発注方式選定装置の機能構成の一例を示した機能ブロック図である。
【図２】生産計画情報の一例を示した図である。
【図３】製品構成情報の一例を示した図である。
【図４】設計パターン情報の一例を示した図である。
【図５】設計図面情報の一例を示した図である。
【図６】部品発注情報の一例を示した図である。
【図７】部品発注方式選定装置のハードウェア構成の一例を示した図である。
【図８】部品発注方式選定処理の実行指示を受け付けるための指示入力画面の一例を示した図である。
【図９】部品発注方式選定処理の一例を示したフロー図である。
【図１０】製品設計割付情報の一例を示した図である。
【図１１】部品発注時期算定情報の一例を示した図である。
【図１２】調達コスト推移情報の一例を示した図である。
【図１３】部品在庫推移情報の一例を示した図である。
【図１４】発注別評価情報の一例を示した図である。
【図１５】発注別評価結果および部品別の在庫推移を示した画面例である。
【発明を実施するための形態】
【００１０】
以下、本発明の一実施形態について図面を用いて説明する。
【００１１】
図１は、部品発注方式選定装置１の機能構成の一例を示した機能ブロック図である。部品発注方式選定装置１は、入力受付部１０と、情報取得部２０と、出力処理部３０と、演算部４０と、通信部５０と、記憶部６０とを有している。
【００１２】
入力受付部１０は、部品発注方式選定装置１が有する入力装置や通信部５０を介して接続される外部装置から様々な情報の入力を受け付ける機能部である。例えば、入力受付部１０は、キーボードやマウス、タッチパネルといった入力装置あるいは外部装置から、部品発注方式選定処理の対象となる期間や処理の実行指示といった情報の入力を受け付ける。また、入力受付部１０は、受け付けた情報を対応する所定の機能部に受け渡す。
【００１３】
情報取得部２０は、所定の入力情報を取得する機能部である。具体的には、情報取得部２０は、部品発注方式選定処理が開始されると、記憶部６０に格納されている入力情報を取得し、これを所定の機能部に受け渡す。なお、入力情報の詳細は後述する。
【００１４】
出力処理部３０は、部品発注方式選定装置１や外部装置が有する出力装置に表示させる画面情報を生成する。具体的には、出力処理部３０は、演算部４０により生成された出力情報を用いて、評価結果および在庫推移を示す画面情報を生成し、これらを出力装置に出力表示する。
【００１５】
演算部４０は、製品設計割付部４１と、部品構成特定部４２と、部品発注時期算定部４３と、調達コスト算出部４４と、在庫金額算出部４５と、発注方式評価部４６とを有している。
【００１６】
製品設計割付部４１は、製品の構成要素（例えば、製品を構成するユニット）に所定の設計パターンを割り付ける機能部である。具体的には、製品設計割付部４１は、将来の生産計画に基づき、所定の入力情報（例えば、生産計画情報、製品構成情報、設計パターン情報および設計図面情報）を用いて、各製品のユニットに所定の設計パターンを所定の適用率で割り付ける。
【００１７】
部品構成特定部４２は、ユニットに割り付けられた設計パターンで用いられる部品の種類を特定する機能部である。具体的には、部品構成特定部４２は、所定情報（例えば、製品設計割付情報および設計図面情報）を用いて部品の種類を特定する。また、部品構成特定部４２は、部品の発注数量および発注金額を算出する。
【００１８】
部品発注時期算定部４３は、部品の発注時期等を算定する機能部である。具体的には、部品発注時期算定部４３は、所定情報（例えば、製品設計割付情報および部品発注情報）を用いて、部品の発注時期等を算定する。
【００１９】
調達コスト算出部４４は、部品の調達コストを算出する機能部である。具体的には、調達コスト算出部４４は、所定情報（例えば、調達コスト推移情報）を用いて、部品別、発注方式別の発注金額に基づく調達コストを算出する。
【００２０】
在庫金額算出部４５は、部品在庫の金額を算出する機能部である。具体的には、在庫金額算出部４５は、所定情報（例えば、部品在庫推移情報）を用いて、部品別、発注方式別の在庫金額を算出する。
【００２１】
発注方式評価部４６は、部品の調達コストと在庫金額とを評価する機能部である。具体的には、発注方式評価部４６は、調達コストと在庫金額とを用いて所定の演算を行うことにより、部品ごとに調達コストと在庫金額との関係を評価する。
【００２２】
記憶部６０は、様々な情報を格納する機能部である。記憶部６０は、入力情報６１および出力情報６２を格納する。具体的には、記憶部６０は、生産計画情報１００と、製品構成情報１１０と、設計パターン情報１２０と、設計図面情報１３０と、部品発注情報１４０とを入力情報６１として予め格納している。なお、これらの情報は、後述の部品発注方式選定処理に用いられる。
【００２３】
また、記憶部６０は、製品設計割付情報１５０と、部品発注時期算定情報１６０と、調達コスト推移情報１７０と、部品在庫推移情報１８０と、発注別評価情報１９０とを出力情報６２として格納する。出力情報６２の詳細については後述する。
【００２４】
図２は、生産計画情報１００の一例を示した図である。生産計画情報１００は、製品の将来の生産計画を管理する情報である。具体的には、生産計画情報１００は、受注ＩＤ１０１と、製品型式ＩＤ１０２と、受注台数１０３と、工程名１０４と、開始日１０５と、完了日１０６とが対応付けられたレコードを有している。
【００２５】
受注ＩＤ１０１は、受注の各々を識別する情報である。製品型式ＩＤ１０２は、受注した製品の型式を識別する情報である。受注台数１０３は、受注した製品の生産台数を示す情報である。工程名１０４は、受注製品の生産工程を示す名称を特定する情報である。工程名１０４には、例えば、調達、生産、試験および出荷がある。開始日１０５は、対応付けられている工程名１０４の作業を開始する日付を示す情報である。完了日１０６は、対応付けられている工程名１０４の作業を完了する日付を示す情報である。
【００２６】
例えば、図２のレコードａは、受注ＩＤが「ＳＯ０１」であって、製品型式ＩＤ「ＰＭ０１」の製品を「２（台）」受注しており、「調達」工程を「２０１５／１１／３０」から開始して、「２０１６／１／３０」までに完了させる計画であることを示している。
【００２７】
図３は、製品構成情報１１０の一例を示した図である。製品構成情報１１０は、ユニットなど製品の構成要素を管理する情報である。具体的には、製品構成情報１１０は、製品型式ＩＤ１１１と、製品構成ＩＤ１１２と、構成数１１３とが対応付けられたレコードを有している。
【００２８】
製品型式ＩＤ１１１は、製品の型式を識別する情報であって、生産計画情報１００の製品型式ＩＤ１０２と共通の情報である。製品構成ＩＤ１１２は、製品を構成するユニットなどの構成要素を識別する情報である。構成数１１３は、製品に含まれる構成要素の数量を示す情報である。
【００２９】
例えば、図３の製品構成情報１１０では、製品型式ＩＤ「ＰＭ０１」の製品は、製品構成ＩＤ「ＰＣ１０」のユニット「１（台）」と、製品構成ＩＤ「ＰＣ１１」のユニット「１（台）」と、製品構成ＩＤ「ＰＣ１２」のユニット「２（台）」とから構成されていることを示している。
【００３０】
図４は、設計パターン情報１２０の一例を示した図である。設計パターン情報１２０は、製品を構成するユニットなどの構成要素に適用する設計パターンなどを管理する情報である。具体的には、設計パターン情報１２０は、製品型式ＩＤ１２１と、製品構成ＩＤ１２２と、設計パターンＩＤ１２３と、適用率１２４とが対応付けられたレコードを有している。
【００３１】
製品型式ＩＤ１２１は、製品の型式を識別する情報であって、生産計画情報１００の製品型式ＩＤ１０２と共通の情報である。製品構成ＩＤ１２２は、製品を構成するユニットなどの構成要素を識別する情報であって、製品構成情報１１０の製品構成ＩＤ１１２と共通の情報である。
【００３２】
設計パターンＩＤ１２３は、製品を構成するユニットなどの構成要素に適用する設計パターンを識別する情報である。例えば、図４のレコードｂおよびｃに示すように、同じユニットに対して複数の設計パターンが対応付けられている場合がある。これらの設計パターンの違いは、例えば、ユニットに用いるモジュールタイプの違いや、旧製品に適用されている設計パターンと、新製品に適用しようとする設計パターンの違いによるものである。
【００３３】
適用率１２４は、ユニットに適用する設計パターンの適用率を示す情報である。適用率１２４は、例えば、製品に適用されるモジュールタイプを過去のオーダ率から割り出した比率に基づき設定する場合や、将来の生産計画に基づき、旧製品と新製品の生産割合に基づき設定する場合などがある。
【００３４】
例えば、図４のレコードｂおよびｃは、製品型式ＩＤ「ＰＭ０１」、製品構成ＩＤ「ＰＣ１０」のユニットに対して適用する設計パターンが「ＤＰ１０−１」と「ＤＰ１０−２」の２つあり、各々の適用率が「６０％」と「４０％」であること示している。
【００３５】
図５は、設計図面情報１３０の一例を示した図である。設計図面情報１３０は、各設計パターンに用いられる部品や手配図面などを管理する情報である。具体的には、設計図面情報１３０は、設計パターンＩＤ１３１と、図面ＩＤ１３２と、部品ＩＤ１３３と、手配数１３４とが対応付けられたレコードを有している。
【００３６】
設計パターンＩＤ１３１は、製品を構成するユニットなどの構成要素に適用する設計パターンを識別する情報であって、設計パターン情報１２０の設計パターンＩＤ１２３と共通の情報である。図面ＩＤ１３２は、対応する設計パターンに用いられる部品が記載された手配図面を識別する情報である。部品ＩＤ１３３は、部品を識別する情報である。手配数１３４は、対応する設計パターンに用いられる部品の数量を示す情報である。
【００３７】
例えば、図５のレコードｄは、設計パターンＩＤ「ＤＰ１０−１」の手配図面の図面ＩＤは「Ｄ１０１」であって、かかる図面には部品ＩＤ「Ｐ００１」の手配数が「５（個）」と記載されていることを示している。
【００３８】
図６は、部品発注情報１４０の一例を示した図である。部品発注情報１４０は、各部品の発注ルールなどを管理する情報である。具体的には、部品発注情報１４０は、部品ＩＤ１４１と、発注方式１４２と、単価１４３と、リードタイム１４４と、ロットサイズ１４５とが対応付けられたレコードを有している。
【００３９】
部品ＩＤ１４１は、部品を識別する情報であって、設計図面情報１３０の部品ＩＤ１３３と共通の情報である。発注方式１４２は、発注方式を示す情報であって、「個別」と、「定量」と、「定期」とがある。なお、「個別」は、個別の設計や部品手配に応じて小ロットサイズで発注することである。「定量」は、在庫量が所定の水準まで下がった時に一定量を発注することである。「定期」は、一定期間の発注間隔を定めてその都度発注することである。単価１４３は、部品ＩＤで特定される部品の単価を示す情報である。リードタイム１４４は、発注から入荷までのリードタイムを示す情報である。ロットサイズ１４５は、１回の注文で発注する最小単位の発注数量を示す情報である。
【００４０】
例えば、図６のレコードｅは、部品ＩＤ「Ｐ００１」の部品を個別発注する場合、単価は「１（ｋ￥）」で、リードタイムは「５（日）」、ロットサイズは「１（個）」以上であることを示している。また、レコードｆは、部品ＩＤ「Ｐ００１」の部品を定量発注する場合、単価は「０．８（ｋ￥）」で、リードタイムは「４（日）」、ロットサイズは「２０（個）」以上であることを示している。
【００４１】
図１に戻って説明する。通信部５０は、所定の外部装置と情報通信を行う機能部である。例えば、通信部５０は、外部装置から入力情報６１に相当する情報を取得すると、これを情報取得部２０に出力する。また、例えば、通信部５０は、外部装置から出力情報６２など所定情報の送信要求を取得すると、対応する所定情報を外部装置に送信する。
【００４２】
以上、部品発注方式選定装置１の機能構成の一例について説明した。
【００４３】
図７は、部品発注方式選定装置１のハードウェア構成の一例を示した図である。部品発注方式選定装置１は、例えば、パーソナルコンピュータやワークステーション、サーバ装置などの情報処理装置により実現される。
【００４４】
図示するように、部品発注方式選定装置１は、入力装置２０１と、出力装置２０２と、外部記憶装置２０３と、演算装置２０４と、主記憶装置２０５と、通信装置２０６と、これらを電気的に相互接続するバス２０７とを有している。
【００４５】
入力装置２０１は、キーボードやマウス、タッチパネルなどのポインティングデバイスあるいは音声入力装置であるマイクなどである。出力装置２０２は、ディスプレイやプリンタあるいは音声出力装置であるスピーカなどである。
【００４６】
外部記憶装置２０３は、デジタル情報を記憶可能ないわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００４７】
演算装置２０４は、例えば、ＣＰＵ（Ｃｅｎｔｒａｌ  Ｐｒｏｃｅｓｓｉｎｇ  Ｕｎｉｔ）である。主記憶装置２０５は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリ装置である。通信装置２０６は、外部装置との間で情報通信を行うための通信モジュールなどである。
【００４８】
なお、入力受付部１０、情報取得部２０、出力処理部３０および演算部４０は、例えば、演算装置２０４に処理を行わせるプログラムによって実現される。このプログラムは、主記憶装置２０５あるいは外部記憶装置２０３に記憶され、プログラムの実行にあたって主記憶装置２０５上にロードされ、演算装置２０４により実行される。また、記憶部６０は、主記憶装置２０５または外部記憶装置２０３あるいはこれらの組合せにより実現される。また、通信部５０は、通信装置２０６により実現される。
【００４９】
また、上記の各構成、機能、処理部および処理手段等は、それらの一部または全部を、例えば集積回路で設計する等によりハードウェアで実現しても良い。また、上記構成、機能は、プロセッサがそれぞれの機能を実現するプログラムを解釈し、実行することによりソフトウェアで実現しても良い。各機能を実現するプログラム、テーブル、ファイル等の情報は、メモリやハードディスク、ＳＳＤ等の記憶装置またはＩＣカード、ＳＤカードおよびＤＶＤ等の記録媒体に置くことができる。
【００５０】
［動作の説明］次に、部品発注方式選定処理について説明する。
図８は、部品発注方式選定処理の実行指示を受け付けるための指示入力画面２５０の一例を示した図である。図示するように、指示入力画面２５０には、処理の対象期間を入力する入力欄２５１と、部品ＩＤを入力する入力欄２５２と、処理の実行指示を行う実行ボタン２５３とが表示されている。出力処理部３０は、入力受付部１０を介して指示入力画面２５０の表示要求をユーザから受け付けると、かかる画面情報を生成し、部品発注方式選定装置１の出力装置２０２などに表示する。入力受付部１０は、対象期間あるいは部品ＩＤの少なくとも一方の入力と、実行ボタン２５３の押下による処理の実行指示を受け付けると、部品発注方式選定処理を開始する。
【００５１】
図９は、部品発注方式選定処理の一例を示したフロー図である。処理が開始されると、情報取得部２０は、記憶部６０から入力情報６１を取得する（ステップＳ１００）。具体的には、情報取得部２０は、生産計画情報１００と、製品構成情報１１０と、設計パターン情報１２０と、設計図面情報１３０と、部品発注情報１４０とを取得する。なお、情報取得部２０は、記憶部６０から入力情報６１を取得せず、例えば、通信部を介して接続されている外部装置から入力情報６１を取得しても良い。
【００５２】
次に、製品設計割付部４１は、将来の生産計画に基づき、各製品を構成するユニットに設計パターンを割り付ける（ステップＳ２００）。具体的には、製品設計割付部４１は、生産計画情報１００の工程名１０４に「調達」が対応付けられているレコードの受注ＩＤと、製品型式ＩＤと、受注台数と、完了日とを特定する。
【００５３】
例えば、製品設計割付部４１は、図２の生産計画情報１００を用いた場合、受注ＩＤ「ＳＯ０１」、「ＳＯ０２」、「ＳＯ０３」、「ＳＯ０４」および「ＳＯ０５」と、各々の受注ＩＤに対応付けられている製品型式ＩＤ「ＰＭ０１」と、各々の受注ＩＤおよび製品型式ＩＤに対応付けられている受注台数「２（台）」と、各々の完了日「２０１６／１／３０」、「２０１６／３／１」、「２０１６／４／１」、「２０１６／５／１」および「２０１６／６／１」とを特定する。
【００５４】
次に、製品設計割付部４１は、特定した製品型式ＩＤが対応付けられている製品構成ＩＤを製品構成情報１１０から特定する。
【００５５】
例えば、製品設計割付部４１は、図３の製品構成情報１１０を用いた場合、製品型式ＩＤ「ＰＭ０１」が対応付けられている製品構成ＩＤ「ＰＣ１０」、「ＰＣ１１」および「ＰＣ１２」を特定する。
【００５６】
次に、製品設計割付部４１は、特定した製品構成ＩＤが対応付けられている設計パターンＩＤおよび適用率を設計パターン情報１２０から特定する。
【００５７】
例えば、図４の設計パターン情報１２０を用いて製品構成ＩＤ「ＰＣ１０」の設計パターンＩＤおよび適用率を特定する場合、製品設計割付部４１は、製品構成ＩＤ「ＰＣ１０」が対応付けられている設計パターンＩＤ「ＤＰ１０−１」および「ＤＰ１０−２」と、各々の設計パターンＩＤに対応付けられている適用率「６０％」および「４０％」とを特定する。
【００５８】
次に、製品設計割付部４１は、特定した適用率に基づいて、製品構成ＩＤに設計パターンＩＤを割り付けた製品設計割付情報１５０を生成する。
【００５９】
具体的には、製品設計割付部４１は、製品構成ＩＤ「ＰＣ１０」を含む製品型式ＩＤ「ＰＭ０１」の受注案件である受注ＩＤ「ＳＯ０１」〜「ＳＯ０５」に対し、適用率が各々「６０％」および「４０％」となるように設計パターンＩＤ「ＤＰ１０−１」および「ＤＰ１０−２」をランダムに割り付ける。また、製品設計割付部４１は、各受注ＩＤに対し、特定した受注台数と、特定した完了日を調達期限として対応付けて製品設計割付情報１５０を生成する。すなわち、製品設計割付情報１５０では、各受注案件の製品構成ＩＤごとに１つの設計パターンＩＤが対応付けられている。
【００６０】
図１０は、製品設計割付情報１５０の一例を示した図である。製品設計割付情報１５０は、受注製品の設計を管理する情報である。具体的には、製品設計割付情報１５０は、受注ＩＤ１５１と、製品型式ＩＤ１５２と、受注台数１５３と、製品構成ＩＤ１５４と、設計パターンＩＤ１５５と、調達期限１５６とが対応付けられたレコードを有している。
【００６１】
受注ＩＤ１５１は、受注の各々を識別する情報であって、生産計画情報１００の受注ＩＤ１０１と共通の情報である。製品型式ＩＤ１５２は、受注した製品の型式を識別する情報であって、生産計画情報１００の製品型式ＩＤ１０２と共通の情報である。受注台数１５３は、受注した製品の生産台数を示す情報であって、生産計画情報１００の受注台数１０３と共通の情報である。製品構成ＩＤ１５４は、製品を構成するユニットなどの構成要素を識別する情報であって、製品構成情報１１０の製品構成ＩＤ１１２と共通の情報である。設計パターンＩＤ１５５は、製品を構成するユニットなどの構成要素に適用する設計パターンを識別する情報であって、設計パターン情報１２０の設計パターンＩＤ１２３と共通の情報である。調達期限１５６は、設計パターンＩＤにより特定される部品の調達期限を示す情報であって、工程名に「調達」が対応付けられている生産計画情報１００の完了日１０６に対応する情報である。
【００６２】
例えば、図１０のレコードｉは、受注ＩＤが「ＳＯ０１」であって、製品型式ＩＤ「ＰＭ０１」の製品を「２（台）」受注しており、製品構成ＩＤ「ＰＣ１０」のユニットに設計パターンＩＤ「ＤＰ１０−１」を適用し、かかる設計パターンに用いる部品を「２０１６／１／３０」までに調達することを示している。
【００６３】
図９に戻って説明する。次に、部品構成特定部４２は、各部品の発注量および発注金額を算出し、部品発注時期算定部４３は、発注および入荷の時期を算定する（ステップＳ３００）。具体的には、部品構成特定部４２は、製品設計割付情報１５０の設計パターンＩＤが対応付けられた部品ＩＤおよび手配数を設計図面情報１３０から特定する。また、部品構成特定部４２は、各受注案件の受注台数と、これに対応付けられている設計パターンＩＤとを製品設計割付情報１５０から特定する。また、部品構成特定部４２は、設計パターンＩＤごとに、特定した受注台数に部品の手配数を掛け合わせることにより、各設計パターンに用いられる部品の発注数量を算出する。
【００６４】
例えば、図１０に示す製品設計割付情報１５０の受注ＩＤ「ＳＯ０１」について部品の発注数量を算出する場合、部品構成特定部４２は、かかる受注ＩＤに対応付けられている設計パターンＩＤ「ＤＰ１０−１」が対応付けられた部品ＩＤ「Ｐ００１」および手配数「５」を設計図面情報１３０から特定する。また部品構成特定部４２は、受注ＩＤ「ＳＯ０１」に対応付けられている受注台数「２（台）」および設計パターンＩＤ「ＤＰ１０−１」を特定する。また、部品構成特定部４２は、受注台数「２（台）」に手配数「５（個）」を掛け合わせることにより、かかる設計パターンに用いられる部品の発注数量を１０（個）と算出する。
【００６５】
また、部品構成特定部４２は、部品の発注金額を算出する。具体的には、部品構成特定部４２は、発注数量を算出した部品の部品ＩＤが対応付けられ、発注方式が「個別」であるレコードの単価を部品発注情報１４０から特定する。また、部品構成特定部４２は、算出した発注数量に特定した単価を掛け合わせることにより、発注金額を算出する。
【００６６】
例えば、発注数量が「１０（個）」である部品ＩＤ「Ｐ００１」の発注金額を算出する場合、部品構成特定部４２は、かかる部品ＩＤが対応付けられ、かつ、発注方式が「個別」であるレコードの単価「１（ｋ￥）」を部品発注情報１４０から特定する。また、部品構成特定部４２は、発注数量「１０（個）」に単価「１（ｋ￥）」を掛け合わせることにより、発注金額「１０（ｋ￥）」を算出する。
【００６７】
次に、部品発注時期算定部４３は、発注および入荷の時期を算定する。具体的には、部品発注時期算定部４３は、発注数量を算出した部品ＩＤが対応付けられ、発注方式が「個別」であるレコードのリードタイムを部品発注情報１４０から特定する。また、部品発注時期算定部４３は、かかる部品ＩＤの調達期限を製品設計割付情報１５０から特定し、調達期限からリードタイムを引いた日付を発注日として算定する。また、部品発注時期算定部４３は、かかる調達期限の日付を入荷日として算定する。
【００６８】
なお、発注方式には、上述の「個別」以外に「定量」や「定期」などがある。部品構成特定部４２および部品発注時期算定部４３は、「定量」や「定期」の発注方式における発注数量、発注金額、発注日および入荷日などを求める場合、例えば、ＭＲＰ（Ｍａｔｅｒｉａｌ  Ｒｅｑｕｉｒｅｍｅｎｔ  Ｐｌａｎｎｉｎｇ：資材所要量計画）といった所定の方法を用いれば良い。
【００６９】
また、部品発注時期算定部４３は、部品ＩＤごとに注文ＩＤを付与し、発注方式と、発注数量、発注金額、発注日および入荷日を対応付けた部品発注時期算定情報１６０を生成する。
【００７０】
例えば、図１０に示す製品設計割付情報１５０の受注ＩＤ「ＳＯ０１」について部品の発注および入荷時期を算定する場合、部品発注時期算定部４３は、発注数量を算出した部品ＩＤ「Ｐ００１」が対応付けられ、発注方式が「個別」であるレコードのリードタイム「５（日）」を部品発注情報１４０から特定する。また、部品発注時期算定部４３は、かかる部品ＩＤの調達期限「２０１６／１／３０」を製品設計割付情報１５０から特定し、かかる調達期限から「５（日）」を引いた日付「２０１６／１／２５」を発注日として算定する。また、部品発注時期算定部４３は、調達期限である「２０１６／１／３０」を入荷日として算定する。また、部品発注時期算定部４３は、部品ＩＤ「Ｐ００１」に所定の注文ＩＤを対応付け、発注方式（この場合「個別」）と、発注数量「１０（個）」と、発注金額「１０（ｋ￥）」と、発注日「２０１６／１／２５」と、入荷日「２０１６／１／３０」とを対応付けた部品発注時期算定情報１６０を生成する。
【００７１】
図１１は、部品発注時期算定情報１６０の一例を示した図である。部品発注時期算定情報１６０は、部品の発注数量や発注時期を管理する情報である。具体的には、部品発注時期算定情報１６０は、部品ＩＤ１６１と、発注方式１６２と、注文ＩＤ１６３と、発注日１６４と、入荷日１６５と、発注数量１６６と、発注金額１６７とが対応付けられたレコードを有している。
【００７２】
部品ＩＤ１６１は、部品を識別する情報であって、設計図面情報１３０の部品ＩＤ１３３と共通の情報である。発注方式１６２は、部品の発注方式を示す情報であって、部品発注情報１４０の発注方式１４２と共通の情報である。注文ＩＤ１６３は、部品の注文を識別する情報であって、部品ＩＤごとに共通のＩＤが用いられる。発注日１６４は、部品の発注日を示す情報である。入荷日１６５は、部品の入荷日を示す情報である。発注数量１６６は、部品の発注数量を示す情報である。発注金額１６７は、部品の発注金額を示す情報である。
【００７３】
例えば、図１１のレコードｊは、注文ＩＤ「ＰＯ０１」の注文であって、部品ＩＤ「Ｐ００１」の部品を「個別」の発注方式で「２０１６／１／２５」に「１０（個）」発注し、発注金額は「１０（ｋ￥）」であって、「２０１６／１／３０」に入荷することを示している。
【００７４】
図９に戻って説明する。次に、発注方式評価部４６は、調達コストおよび在庫金額の比率を部品ごとに評価して、発注方式選定の優先順位を特定する（ステップＳ４００）。評価にあたり、調達コスト算出部４４は、調達コスト推移情報１７０を生成する。具体的には、調達コスト算出部４４は、部品発注時期算定情報１６０から部品ＩＤと、発注方式と、注文ＩＤと、入荷日と、発注数量と、発注金額とを抽出し、これらを対応付けた調達コスト推移情報１７０を生成する。
【００７５】
図１２は、調達コスト推移情報１７０の一例を示した図である。調達コスト推移情報１７０は、部品の入荷日を基準に発生する調達コストの推移を示した情報である。具体的には、調達コスト推移情報１７０は、部品ＩＤ１７１と、発注方式１７２と、注文ＩＤ１７３と、入荷日１７４と、発注数量１７５と、発注金額１７６とが対応付けられたレコードを有している。
【００７６】
部品ＩＤ１７１は、部品を識別する情報であって、設計図面情報１３０の部品ＩＤ１３３と共通の情報である。発注方式１７２は、部品の発注方式を示す情報であって、部品発注情報１４０の発注方式１４２と共通の情報である。注文ＩＤ１７３は、部品の注文を識別する情報であって、部品ＩＤごとに共通のＩＤが用いられる。入荷日１７４は、部品の入荷日を示す情報である。発注数量１７５は、部品の発注数量を示す情報である。発注金額１７６は、部品の発注金額を示す情報である。
【００７７】
例えば、図１２のレコードｋは、注文ＩＤ「ＰＯ０１」の注文であって、部品ＩＤ「Ｐ００１」の部品を「個別」の発注方式で「１０（個）」注文し、発注金額は「１０（ｋ￥）」であって、「２０１６／１／３０」に入荷することを示している。
【００７８】
また、上述の評価にあたり、在庫金額算出部４５は、部品在庫推移情報１８０を生成する。具体的には、在庫金額算出部４５は、生産計画情報１００の工程名が「調達」であるレコードの受注ＩＤおよび製品型式ＩＤが対応付けられた製品設計割付情報１５０のレコードから製品構成ＩＤごとに設計パターンＩＤを特定する。また、在庫金額算出部４５は、かかる設計パターンＩＤが対応付けられた部品ＩＤを設計図面情報１３０から特定する。また、在庫金額算出部４５は、特定した部品ＩＤが対応付けられている単価を発注方式別に部品発注情報１４０から特定する。また、在庫金額算出部４５は、部品発注時期算定情報１６０を用いて、特定した部品ＩＤが対応付けられているレコードから発注方式と、入荷日と、発注数量とを特定する。
【００７９】
また、在庫金額算出部４５は、特定した部品ＩＤと、その発注方式と、入出荷区分（この場合、入荷）と、入出荷日（この場合、特定した入荷日の日付）と、入出荷数量（この場合、特定した発注数量）と、在庫数（特定した発注数量に元の在庫数を足し合わせた数量）と、在庫金額（対応する発注方式の単価に在庫数を掛け合わせた金額）とを対応付けた部品在庫推移情報１８０を生成する。
【００８０】
また、在庫金額算出部４５は、生産計画情報１００の工程名が「出荷」であるレコードの受注台数および完了日を特定する。また、在庫金額算出部４５は、かかるレコードの受注ＩＤおよび製品型式ＩＤが対応付けられた製品設計割付情報１５０のレコードから製品構成ＩＤごとに設計パターンＩＤを特定する。また、在庫金額算出部４５は、かかる設計パターンＩＤが対応付けられたレコードの部品ＩＤおよび手配数を設計図面情報１３０から特定する。また、在庫金額算出部４５は、特定した部品ＩＤが対応付けられている単価を発注方式別に部品発注情報１４０から特定する。
【００８１】
また、在庫金額算出部４５は、特定した部品ＩＤと、その発注方式と、入出荷区分（この場合、出荷）と、入出荷日（この場合、特定した完了日の日付）と、入出荷数量（この場合、特定した受注台数に手配数を掛け合わせた出荷の数量）と、在庫数（元の在庫数から出荷の数量を減算した数量）と、在庫金額（対応する発注方式の単価に在庫数を掛け合わせた金額）とを対応付けたレコードを部品在庫推移情報１８０に生成する。
【００８２】
図１３は、部品在庫推移情報１８０の一例を示した図である。部品在庫推移情報１８０は、部品在庫の推移を示した情報である。上述の通り、部品在庫推移情報１８０は、部品ＩＤ１８１と、発注方式１８２と、入出荷区分１８３と、入出荷日１８４と、入出荷数量１８５と、在庫数１８６と、在庫金額１８７とが対応付けられたレコードを有している。
【００８３】
部品ＩＤ１８１は、部品を識別する情報であって、設計図面情報１３０の部品ＩＤ１３３と共通の情報である。発注方式１８２は、部品の発注方式を示す情報であって、部品発注情報１４０の発注方式１４２と共通の情報である。入出荷区分１８３は、部品の入荷または出荷のいずれかを示す情報である。入出荷日１８４は、部品の入荷または出荷の日付を示す情報である。入出荷数量１８５は、部品の入荷数または出荷数のいずれかを示す情報である。在庫数１８６は、在庫の数を示す情報である。在庫金額１８７は、在庫部品の総単価すなわち対応する発注方式の単価を在庫数に掛け合わせた金額を示す情報である。
【００８４】
例えば、図１３のレコードｌは、「入荷」の区分を示したレコードであって、「個別」の発注方式で発注した部品ＩＤ「Ｐ００１」の部品が「２０１６／１／３０」に「１０（個）」入荷して在庫数が「１０（個）」となり、その在庫金額が「１０（ｋ￥）」であることを示している。
【００８５】
また、図１３のレコードｍは、「出荷」の区分を示したレコードであって、「個別」の発注方式で発注した部品ＩＤ「Ｐ００１」の部品を「１０（個）」使用して生産した製品の出荷日が「２０１６／３／３」であり、かかる出荷日に在庫数および在庫金額が各々「０（個）」および「０（ｋ￥）」になることを示している。
【００８６】
また、発注方式評価部４６は、調達コストと在庫金額との関係を部品ごとに評価する。かかる評価にあたり、調達コスト算出部４４は、調達コスト推移情報１７０を用いて調達コストを算出する。また、在庫金額算出部４５は、部品在庫推移情報１８０を用いて在庫金額を算出する。調達コストおよび在庫金額の算出については後述する。
【００８７】
発注方式評価部４６は、以下の式（１）を用いて、調達コストと在庫金額との関係を部品ごとに評価した評価係数を算出する。
【００８８】
【数１】
2018063511.tif 000003
【００８９】
式（１）において、添字ｊは、部品ＩＤを示している。また、Ｃｊａは、「個別」の発注方式による発注金額と、「定量」の発注方式による発注金額とを合算した調達コストを示している。また、Ｃｊｂは、「定量」の発注方式による発注金額と、「個別」の発注方式を「定量」の発注方式に切り替えた場合の発注金額とを合算した調達コストを示している。また、Ｉｊａは、「個別」の発注方式による在庫金額と、「定量」の発注方式による在庫金額とを合算した在庫金額を示している。また、Ｉｊｂは、「定量」の発注方式による在庫金額と、「個別」の発注方式を「定量」の発注方式に切り替えた場合の在庫金額とを合算した在庫金額を示している。また、Ｅｊは、評価係数を示している。以下、Ｃｊａ、Ｃｊｂ、ＩｊａおよびＩｊｂの算出方法について説明する。
【００９０】
調達コスト算出部４４は、調達コスト推移情報１７０の「個別」の発注方式による発注金額と、「定量」の発注方式による発注金額とを合算することにより調達コストＣｊａを算出する。例えば、図１２の調達コスト推移情報１７０を用いた場合、部品ＩＤ「Ｐ００１」の調達コストＣｊａは、「個別」の発注方式による発注金額「１０（ｋ￥）」と、「定量」の発注方式による発注金額「１６（ｋ￥）」とを合計した金額「２６（ｋ￥）」となる。なお、「個別」や「定量」の発注方式による発注が各々複数ある場合、これらの発注金額を合算することによりＣｊａを算出することができる。
【００９１】
また、調達コスト算出部４４は、調達コスト推移情報１７０の「個別」の発注方式が対応付けられている発注数量を「定量」の発注方式で発注する場合の最小ロットサイズに、発注方式が「定量」の単価を掛け合わせて算出した発注金額と、調達コスト推移情報１７０の「定量」の発注方式による発注金額とを合算して調達コストＣｊｂを算出する。例えば、図１２の調達コスト推移情報１７０を用いた場合、部品ＩＤ「Ｐ００１」の調達コストＣｊｂは、「個別」の発注方式が対応付けられている発注数量「１０（個）」を「定量」の発注方式で発注する場合の最小ロットサイズ「２０（個）」に、発注方式が「定量」の単価「０．８（ｋ￥）」を掛け合わせて算出した発注金額「８（ｋ￥）」と、調達コスト推移情報１７０の「定量」の発注方式の発注金額「１６（ｋ￥）」とを合算した「２４（ｋ￥）」となる。なお、例えば、「個別」や「定量」の発注方式による発注が各々複数ある場合、「個別」の発注方式による発注金額を上述と同様に「定量」の発注方式による発注金額に変換し、これらの発注金額を合算することによりＣｊｂを算出することができる。
【００９２】
在庫金額算出部４５は、部品在庫推移情報１８０の「個別」の発注方式による在庫金額の期間平均と、「定量」の発注方式による在庫金額の期間平均とを合算することにより在庫金額Ｉｊａを算出する。例えば、在庫金額の月単位の期間平均を求める場合、部品別、発注方式別に各月の月末日（または月始日）における在庫金額を合算し、それを月数で割ることにより部品別、発注方式別の在庫金額の期間平均を算出できる。また、在庫金額の日単位の期間平均を求める場合、部品別、発注方式別に入荷時の在庫金額と出荷時の在庫金額とを合算し、それを入出荷があった日数で割ることにより部品別、発注方式別の在庫金額の期間平均を算出できる。
【００９３】
また、在庫金額算出部４５は、部品在庫推移情報１８０の「定量」の発注方式による在庫金額の期間平均と、「個別」の発注方式が対応付けられている在庫金額の期間平均を「定量」の発注方式による在庫金額に変換した場合の期間平均とを合算することにより在庫金額Ｉｊｂを算出する。なお、「定量」の発注方式による部品単価は、「個別」の発注方式による部品単価に比べて安くなるが、最小ロットサイズが増加するため、通常、Ｉｊｂは、Ｉｊａから増加する場合が多い。
【００９４】
発注方式評価部４６は、このようにして算出された調達コストＣｊａ、Ｃｊｂおよび在庫金額Ｉｊａ、Ｉｊｂを式（１）に適用することにより、評価係数Ｅｊを算出する。これにより、発注方式を「個別」から「定量」に変更した場合の調達コストの低減効果と在庫金額の増加分の比率を評価することができる。つまり、Ｅｊの値が大きい程、在庫金額の増加に対する調達コストの低減効果が大きく、発注方式切り替えの優先順位が高いことを示している。
【００９５】
また、発注方式評価部４６は、部品ごとの評価結果を含む発注別評価情報１９０を生成する。
【００９６】
図１４は、発注別評価情報１９０の一例を示した図である。発注別評価情報１９０は、各部品の評価結果を含む情報である。具体的には、発注別評価情報１９０は、部品ＩＤ１９１、方式Ａ調達コスト１９２と、方式Ａ在庫金額１９３と、方式Ｂ調達コスト１９４と、方式Ｂ在庫金額１９５と、評価結果１９６とが対応付けられたレコードを有している。
【００９７】
部品ＩＤ１９１は、部品を識別する情報であって、設計図面情報１３０の部品ＩＤ１３３と共通の情報である。方式Ａ調達コスト１９２は、「個別」および「定量」の発注方式による発注金額の和（すなわち、Ｃｊａ）を示す情報である。方式Ａ在庫金額１９３は、「個別」および「定量」の発注方式による在庫金額の和（すなわち、Ｉｊａ）を示す情報である。方式Ｂ調達コスト１９４は、「定量」の発注方式による発注金額と、「個別」の発注方式を「定量」の発注方式に切り替えた場合の発注金額との和（すなわち、Ｃｊｂ）を示す情報である。方式Ｂ在庫金額１９５は、「定量」の発注方式による在庫金額と、「個別」の発注方式を「定量」の発注方式に切り替えた場合の在庫金額との和（すなわち、Ｉｊｂ）を示す情報である。評価結果１９６は、調達コストと在庫金額との関係を評価した評価係数（すなわち、Ｅｊ）を示す情報である。
【００９８】
例えば、図１４のレコードｎは、部品ＩＤ「Ｐ００１」の部品について、「個別」および「定量」の発注方式による発注金額および在庫金額の和が各々「１００（ｋ￥）」と「１０（ｋ￥）」であり、「個別」の発注方式を「定量」の発注方式に切り替えた場合の発注金額および在庫金額の和が各々「９０（ｋ￥）」と「１１０（ｋ￥）」であって、その評価係数が「０．１」であることを示している。
【００９９】
図９に戻って説明する。次に、出力処理部３０は、発注別評価情報１９０を用いて発注別評価結果および在庫推移を示す画面情報を生成する。また、出力処理部３０は、生成した画面情報を出力装置２０２などに表示する（ステップＳ５００）。
【０１００】
図１５は、発注別評価結果および部品別の在庫推移を示した画面例３００である。かかる画面例３００は、評価結果表示領域３１０と、在庫推移表示領域３３０とを有している。また、評価結果表示領域３１０は、評価の対象期間を示す期間３１１と、評価結果を示す結果表示テーブル３１２とを有している。期間は、図８の入力画面を介して受け付けた評価の対象期間である。結果表示テーブル３１２は、部品ＩＤ３１３と、個別発注３１４、定量発注３１５および低減効果３１６を含む調達コスト３１７と、個別発注３１８、定量発注３１９および増加分３２０を含む在庫金額の期間平均３２１と、比率３２２とが対応付けられたレコードを有している。
【０１０１】
部品ＩＤ３１３は、部品を識別する情報であって、設計図面情報１３０の部品ＩＤ１３３と共通の情報である。調達コストの個別発注３１４は、「個別」の発注方式による発注金額と、「定量」の発注方式による発注金額との和（すなわち、Ｃｊａ）を示す情報である。調達コストの定量発注３１５は、「定量」の発注方式による発注金額と、「個別」の発注方式を「定量」の発注方式に切り替えた場合の発注金額との和（すなわち、Ｃｊｂ）を示す情報である。低減効果３１６は、調達コストの個別発注から定量発注を引いた値であって、発注方式を「個別」から「定量」に切り替えた場合の調達コストの低減効果を示す情報である。
【０１０２】
また、在庫金額の個別発注３１８は、「個別」の発注方式による在庫金額および「定量」の発注方式による在庫金額の和（すなわち、Ｉｊａ）を示す情報である。在庫金額の定量発注３１９は、「定量」の発注方式による在庫金額と、「個別」の発注方式を「定量」の発注方式に切り替えた場合の在庫金額との和（すなわち、Ｉｊｂ）を示す情報である。比率３２２は、調達コストと在庫金額との関係を部品ごとに評価した評価係数（すなわち、Ｅｊ）を示す情報である。
【０１０３】
なお、調達コストの低減効果３１６、在庫金額の増加分３２０および比率３２２は各々、プルダウンボックスの押下によりプルダウンメニューを表示させ、フィルターまたはソートを行うことが可能である。これにより、例えば、一定金額以上の調達コストの低減効果が見込めない部品、在庫の増加分が一定金額を超える部品および在庫金額の増加分に対する調達コストの低減効果が小さい部品を表示の対象外としたり、低減効果が大きい部品の順に並べ替えることができる。
【０１０４】
また、在庫推移表示領域３３０は、部品ＩＤ３３１と、表示ボタン３３２と、在庫推移グラフ３３３とを有している。部品ＩＤ３３１のプルダウンボックスを押下してプルダウンメニューを表示させ、所定の部品ＩＤを選択した上で表示ボタン３３２を押下すると、かかる部品の在庫推移グラフ３３３が表示される。在庫推移グラフ３３３は、縦軸が在庫金額を表し、横軸が各月を表している。また、破線のグラフが「個別」の発注方式による在庫金額および「定量」の発注方式による在庫金額の和（すなわち、Ｉｊａ）を表している。また、実線が「定量」の発注方式による在庫金額と、「個別」の発注方式を「定量」の発注方式に切り替えた場合の在庫金額との和（すなわち、Ｉｊｂ）を表している。このように、在庫推移グラフは、部品ＩＤ別の時系列の在庫推移を発注方式別に可視化している。これにより、発注方式を切り替えた際の在庫のピーク時期などを先手管理することができる。
【０１０５】
以上、本実施形態に係る部品発注方式選定装置１について説明した。このような部品発注方式選定装置１によれば、将来の生産計画に基づいて、部品の調達コストと在庫金額との関係を評価し、より適切な発注方式を選定することができる。
【０１０６】
なお、本発明は、上記実施形態に限られるものではなく、様々な変形例が可能である。例えば、上記実施形態では、所定の適用率に応じて各製品のユニットに設計パターンをランダムに割り付けたが、上述の通り、旧製品に適用されている設計パターンと、新製品に適用しようとする設計パターンとがある場合、各設計パターンの新旧を表すレビジョン情報を設計図面情報１３０に対応付け、所定の適用率に応じて、直近に生産する予定の製品の構成要素から順にレビジョンの古い設計パターンを優先的に割り付けるようにしても良い。これにより、レビジョンの古い設計パターンから順次、新しい設計パターンに移行する場合の部品別、発注方式別の調達コストおよび在庫金額の関係を評価することができる。
【０１０７】
また、上記実施形態における部品在庫の推移は、部品の入荷日と、部品を使用した製品の出荷日とを基準としたが、在庫金額算出部４５は、出荷日の基準に代えて、部品を倉庫から出庫（生産の開始）する出庫日を基準とし、倉庫での在庫管理に関わる部品重量やサイズ、保管コストを在庫金額に代わる評価指標としても良い。この場合、例えば、部品発注情報１４０は、部品別の保管コストに関する情報を有していれば良い。これにより、一般に、大型部品や特殊部品などで在庫管理コストが大きくなる個別受注設計品の生産において、倉庫での管理コストを加味した部品の発注方式を選定することができる。
【０１０８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【０１０９】
また、上記説明では、制御線や情報線は、説明上必要と考えられるものを示しており、製品上必ずしも全ての制御線や情報線を示しているとは限らない。実際には殆ど全ての構成が相互に接続されていると考えて良い。
【符号の説明】
【０１１０】
１・・・部品発注方式選定装置、１０・・・入力受付部、２０・・・情報取得部、３０・・・出力処理部、４０・・・演算部、４１・・・製品設計割付部、４２・・・部品構成特定部、４３・・・部品発注時期算定部、４４・・・調達コスト算出部、４５・・・在庫金額算出部、４６・・・発注方式評価部、５０・・・通信部、６０・・・記憶部、６１・・・入力情報、６２・・・出力情報、１００・・・生産計画情報、１１０・・・製品構成情報、１２０・・・設計パターン情報、１３０・・・設計図面情報、１４０・・・部品発注情報、１５０・・・製品設計割付情報、１６０・・・部品発注時期算定情報、１７０・・・調達コスト推移情報、１８０・・・部品在庫推移情報、１９０・・・発注別評価情報、２０１・・・入力装置、２０２・・・出力装置、２０３・・・外部記憶装置、２０４・・・演算装置、２０５・・・主記憶装置、２０６・・・通信装置
【図１】
2018063511.tif 000004
【図２】
2018063511.tif 000005
【図３】
2018063511.tif 000006
【図４】
2018063511.tif 000007
【図５】
2018063511.tif 000008
【図６】
2018063511.tif 000009
【図７】
2018063511.tif 000010
【図８】
2018063511.tif 000011
【図９】
2018063511.tif 000012
【図１０】
2018063511.tif 000013
【図１１】
2018063511.tif 000014
【図１２】
2018063511.tif 000015
【図１３】
2018063511.tif 000016
【図１４】
2018063511.tif 000017
【図１５】
2018063511.tif 000018